(57)【要約】【課題】イオン発生機能を有したトイレルーム用の暖房機を提供する。【解決手段】洋風便器１の上面に便座２及び便蓋と、各種トイレ電装品を収容した便座ボックス３とが設けられている。便座ボックス３内にトイレ暖房機４が設けられている。トイレ暖房機４は、送風機１０と、該送風機１０に連なるダクト１２と、該ダクト１２内に設けられたエアヒータ１４及びイオン発生装置１６とを有している。エアヒータ１４により加熱された空気と、イオン発生装置１６により生成されたマイナスイオンを含んだ空気とを送風機１０によってトイレルームに送風する。【選択図】  図１
2004156402.tif 000002
【特許請求の範囲】
【請求項１】
送風機と、該送風機に連なる吹出用ダクトと、該ダクトに設けられたエアヒータとを有するトイレ暖房機において、
該ダクトにイオン発生装置を設けたことを特徴とするトイレ暖房機。
【請求項２】
請求項１において、該イオン発生装置は放電用電極を備えており、前記エアヒータと離隔されて配置されていることを特徴とするトイレ暖房機。
【請求項３】
請求項１又は２において、該エアヒータとイオン発生装置が個別に動作可能とされていることを特徴とするトイレ暖房機。
【請求項４】
請求項１ないし３のいずれか１項において、
該ダクトの少なくとも吹出口近傍が複数の流路に分画されており、一部の流路にのみイオン発生装置が設けられていることを特徴とするトイレ暖房機。
【発明の詳細な説明】
【０００１】
【発明の属する技術分野】
本発明は、トイレルーム内を暖房するためのトイレ暖房機に関するものである。
【０００２】
【従来の技術】
トイレルームを暖房するために、トイレルームのキャビネットに温風ファンよりなるトイレ暖房機を設けることは、例えば特開平９−２２４８７７、同９−２２４８７８号の通り周知である。また、特開平８−４０７８号公報にはトイレ暖房機を便座ボックスに設けることが記載されている。
【０００３】
特開平１１−２１１２３６号公報には、室内暖房装置の送風通路に複合セラミックスを配置してマイナスイオンを含んだ空気を室内に吹き出すようにした暖房装置が記載されている。
【０００４】
【特許文献１】
特開平９−２２４８７７号公報
【特許文献２】
特開平９−２２４８７８号公報
【特許文献３】
特開平８−４０７８号公報
【特許文献４】
特開平１１−２１１２３６号公報
【０００５】
【発明が解決しようとする課題】
本発明は、イオン発生機能を有したトイレルーム用の暖房機を提供することを目的とする。
【０００６】
【課題を解決するための手段】
本発明のトイレ暖房機は、送風機と、該送風機に連なる吹出用ダクトと、該ダクトに設けられたエアヒータとを有するトイレ暖房機において、該ダクトにイオン発生装置を設けたことを特徴とするものである。
【０００７】
このイオン発生装置としては、放電用電極を備えているものが、イオン発生効率が良く好適である。このイオン発生装置は、エアヒータの熱の影響を少なくするために、エアヒータと離隔させることが好ましい。
【０００８】
このイオン発生装置とエアヒータとは個別に動作可能であることが好ましい。特に、該ダクトの少なくとも吹出口近傍が複数の流路に分画されており、一部の流路にのみイオン発生装置が設けられていることが好ましい。
【０００９】
【発明の実施の形態】
以下、図面を参照して本発明の実施の形態について説明する。
【００１０】
図１は実施の形態に係るトイレ暖房機の斜視図であり、図２（ａ）は図１のＩＩ−ＩＩ線断面図である。図２（ｂ），（ｃ）は、それぞれ、同（ａ）のＢ−Ｂ線矢視図及びＣ−Ｃ線断面図である。また、図３はこのトイレ暖房機を備えた洋風便器設備の斜視図である。
【００１１】
図３に示すように、洋風便器１の上面に便座２及び便蓋（図示略）と、各種トイレ電装品を収容した便座ボックス３とが設けられている。該便座ボックス３は、洋風便器１の上面の最後部に配置されており、この便座ボックス３の前部に該便座２及び便蓋が起倒方向回動自在に取り付けられている。この便座ボックス３内にトイレ暖房機４が設けられている。なお、図３の符号５はこのトイレ暖房機４からの風の吹出口を示し、符号６はこのトイレ暖房機４を操作するためのスイッチパネルを示している。
【００１２】
この実施の形態では、該便座ボックス３は洋風便器１の側方に張り出した張出部３ａを有しており、該トイレ暖房機４はこの張出部３ａ内に収容されている。吹出口５はこの張出部３ａの前面に設けられており、スイッチパネル６はこの張出部３ａの上面に設けられている。ただし、便座ボックス内のトイレ暖房機配置構造は図３に限定されないことは明らかである。
【００１３】
トイレ暖房機４は、図１に示すように、送風機（ファン）１０と、一端側（上流側）が該送風機１０に連なっているダクト１２と、該ダクト１２内に設けられたエアヒータ１４及びイオン発生装置１６とを有している。このイオン発生装置１６は、放電用電極（図示略）を備えたタイプのものである。このイオン発生装置１６へのエアヒータ１４の熱の影響を少なくするために、イオン発生装置１６は、ダクト１２内の該エアヒータ１４よりも上流側の位置に該エアヒータ１４と離隔して配置されている。符号１２ａは、該放電用電極がダクト１２内の後述の流路１２Ｂに臨むようにイオン発生装置１６を保持するためのイオン発生装置保持部を示している。
【００１４】
この実施の形態では、図２（ａ）に示すように、該ダクト１２内は、送風機１０からの風の流通方向に延在する仕切板１８により、イオン発生装置１６付近又は該イオン発生装置１６よりも上流側から該ダクト１２の下流端の吹出口２０近傍にかけて２つの流路１２Ａ，１２Ｂに分画されている。また、これらの流路１２Ａ，１２Ｂのうち、一方の流路１２Ａ内にのみエアヒータ１４が設けられ、他方の流路１２Ｂ内にのみイオン発生装置１６が設けられている。
【００１５】
このトイレ暖房機４は、便座ボックス３の張出部３ａの前面に設けられた吹出口５にダクト１２の吹出口２０が臨むように該張出部３ａ内に設置されている。送風機１０、エアヒータ１４及びイオン発生装置１６は、それぞれスイッチパネル６に設けられた制御回路（図示略）に接続されている。
【００１６】
なお、図示はしないが、このスイッチパネル６には、エアヒータ１４を作動及び作動停止させるためのＯＮ／ＯＦＦスイッチと、イオン発生装置１６を作動及び作動停止させるためのＯＮ／ＯＦＦスイッチとが別個に設けられている。送風機１０は、これらのＯＮ／ＯＦＦスイッチのうちの一方のみがＯＮされたときにも、また、双方がＯＮされたときにも作動すると共に、これらのＯＮ／ＯＦＦスイッチが双方ともＯＦＦされたときに作動停止するよう制御されている。
【００１７】
該スイッチパネル６には、この他に、吹出口５から吹き出される風量、温風の温度及びマイナスイオン濃度を調節するためのスイッチが設けられている。
【００１８】
このように構成されたトイレ暖房機４を備えた洋風便器設備においては、スイッチパネル６のエアヒータ用ＯＮ／ＯＦＦスイッチをＯＮすることにより、エアヒータ１４と送風機１０とが作動し、該エアヒータ１４によって加熱された送風機１０からの温風がダクト１２を介して張出部３ａの前面の吹出口５から吹き出し、トイレルームが暖房される。また、スイッチパネル６のイオン発生装置用ＯＮ／ＯＦＦスイッチをＯＮすることにより、イオン発生装置１６が放電用電極から放電作動してダクト１２内にマイナスイオンが生成され、このマイナスイオンを含んだ送風機１０からの風がダクト１２を介して該吹出口５からトイレルーム内に吹き出す。
【００１９】
該スイッチパネル６のエアヒータ用及びイオン発生装置用のＯＮ／ＯＦＦスイッチを両方ともＯＮしたときには、送風機１０と、エアヒータ１４及びイオン発生装置１６の双方とが作動し、トイレルームの暖房と、マイナスイオンによる空気調和とが同時に行われる。
【００２０】
このトイレ暖房機４にあっては、送風機１０に連なるダクト１２にエアヒータ１４とイオン発生装置１６の双方を設けたことにより、エアヒータ１４により加熱された空気と、イオン発生装置１６により生成されたマイナスイオンを含んだ空気とを１個の送風機１０によってトイレルームに送風することができる。
【００２１】
この実施の形態では、イオン発生装置１６として放電用電極を備えたものを用いているので、イオン発生効率が良い。また、このイオン発生装置１６をダクト１２の上流側に向ってエアヒータ１４から離隔させたことにより、イオン発生装置１６へのエアヒータ１４の熱の影響が少ない。
【００２２】
この実施の形態では、スイッチパネル６に設けられたエアヒータ用及びイオン発生装置用の２個のＯＮ／ＯＦＦスイッチをそれぞれ操作することにより、エアヒータ１４とイオン発生装置１６とを別個に動作可能となっている。これにより、例えばトイレルーム内の気温が十分に高くなったときなど、トイレルーム内の暖房が不要なときには、イオン発生装置１６のみを作動させてマイナスイオンによるトイレルーム内の空気調和のみを行うことが可能である。また、エアヒータ１４のみを作動させることによりトイレルームの暖房のみを行うことも可能である。
【００２３】
この実施の形態では、ダクト１２内を２つの流路１２Ａ，１２Ｂに分画し、一方の流路１２Ａ内にはエアヒータ１４のみを設け、他方の流路１２Ｂ内にはイオン発生装置１６のみを設けている。これにより、エアヒータの熱がイオン発生装置に影響することが十分に防止される。
【００２４】
なお、上記実施の形態は本発明の一例であり、本発明は上記実施の形態に限定されるものではない。
【００２５】
【発明の効果】
以上の通り、本発明によると、イオン発生機能を有したトイレルーム用の暖房機を提供することができる。
【図面の簡単な説明】
【図１】実施の形態に係るトイレ暖房機の斜視図である。
【図２】図１のトイレ暖房機の構成図である。
【図３】図１のトイレ暖房機を備えた洋風便器設備の斜視図である。
【符号の説明】
１  洋風便器
２  便座
３  便座ボックス
４  トイレ暖房機
５  吹出口
６  スイッチパネル
１０  送風機
１２  ダクト
１２Ａ，１２Ｂ  流路
１４  エアヒータ
１６  イオン発生装置
１８  仕切板
２０  吹出口
【図１】
2004156402.tif 000003
【図２】
2004156402.tif 000004
【図３】
2004156402.tif 000005